(57)【要約】【課題】部品点数が少なく且つ開閉操作をより簡単にする回転装置及びそれを用いる携帯式電子装置を提供すること。【解決手段】本発明に係る回転装置は、主体板と、主体板の対向する両面にそれぞれ配置される回転板及び弾性部材と、を備えてなる。回転装置は、第一ガイドピン及び第二ガイドピンをさらに備える。主体板には、第一ガイド溝及び第一ガイド溝に平行する第二ガイド溝が設けられる。第一ガイドピンは、弾性部材の一端に連結され且つ第一ガイド溝及び回転板を貫通する。第二ガイドピンは、弾性部材の他端に連結され且つ第二ガイド溝及び回転板を貫通する。外力で回転板を推進すると、第一ガイドピン及び第二ガイドピンは、それぞれ第一ガイド溝、第二ガイド溝に沿って反対方向に向かってスライドしながら、弾性部材に弾発力を蓄積させ、続いて弾性部材の弾発力を解放させ、回転板を板状体に対して回転させる。【選択図】図１
2011244434.tif 000002
【特許請求の範囲】
【請求項１】
主体板と、前記主体板の対向する両面にそれぞれ配置される回転板及び弾性部材と、を備えてなる回転装置であって、
前記回転装置は、第一ガイドピン及び第二ガイドピンをさらに備え、前記主体板には、第一ガイド溝及び前記第一ガイド溝に平行する第二ガイド溝が設けられ、
前記第一ガイドピンは、前記弾性部材の一端に連結され且つ前記第一ガイド溝及び前記回転板を貫通し、
前記第二ガイドピンは、前記弾性部材の他端に連結され且つ前記第二ガイド溝及び前記回転板を貫通し、
外力によって前記回転板が推進されると、前記第一ガイドピン及び前記第二ガイドピンは、それぞれ前記第一ガイド溝、第二ガイド溝に沿って反対方向に向かってスライドしながら、前記弾性部材に弾発力を蓄積させ、続いて弾性部材の弾発力を解放させることによって、前記回転板を前記主体板に対して回転させることを特徴とする回転装置。
【請求項２】
前記回転板は、その対角線方向に沿って離間して設けられた第一スライド溝及び第二スライド溝を有し、
前記第一スライド溝及び前記第二スライド溝は、それぞれ互いに連通する第一端部、第二端部を有し、
前記第一スライド溝の第一端部及び第二端部は、前記第二スライド溝の第一端部及び第二端部と、同一直線上に位置することを特徴とする請求項１に記載の回転装置。
【請求項３】
前記回転装置は、連結軸をさらに備え、前記回転板の中心には第一貫通孔が設けられ、前記主体板の第一ガイド溝及び第二ガイド溝の間には、第二貫通孔が設けられ、
前記連結柱は、前記第二貫通孔及び前記第一貫通孔内に回転可能に係止されることを特徴とする請求項２に記載の回転装置。
【請求項４】
前記第一ガイド溝及び前記第二ガイド溝は、それぞれ互いに連通する第一係止端及び第二係止端を有し、
前記第一ガイド溝の第一係止端と前記第二ガイド溝の第二係止端とが同一側に位置し、前記第一ガイド溝の第二係止端と前記第二ガイド溝の第一係止端とが同一側に位置することを特徴とする請求項３に記載の回転装置。
【請求項５】
前記弾性部材は、第一固定端及び第二固定端を備え、前記第一ガイドピンが、前記第一固定端に係止され、且つ前記第一ガイド溝の第一係止端及び前記第二スライド溝の第一端部を貫通し、
前記第二ガイドピンが、前記第二固定端に係止され、且つ前記第二ガイド溝の第一係止端及び前記第一スライド溝の第一端部を貫通して、前記回転板を前記主体板に装着することを特徴とする請求項４に記載の回転装置。
【請求項６】
前記第一ガイドピン及び前記第二ガイドピンは、それぞれフランジ部及び前記フランジ部に連結する柱状体を備え、
前記第一ガイドピンの柱状体は、前記第一ガイド溝の第一係止端から第二係止端へスライドすると共に、前記第二スライド溝の第一端部から第二端部へスライドし、
前記第二ガイドピンの柱状体は、前記第二ガイド溝の第一係止端から第二係止端へスラドすると共に、前記第一スライド溝の第一端部から第二端部へスライドすることを特徴とする請求項５に記載の回転装置。
【請求項７】
本体と、カバー体と、前記本体と前記カバー体との間に配置される回転装置を備えてなる携帯式電子装置であって、
前記回転装置は、前記本体に装着される主体板、前記カバー体に装着される回転板及び弾性部材を備え、前記回転板及び前記弾性部材は、それぞれ前記主体板の対向する両面に配置され、
前記回転装置は、第一ガイドピン及び第二ガイドピンをさらに備え、前記主体板には、第一ガイド溝及び前記第一ガイド溝に平行する第二ガイド溝が設けられ、
前記第一ガイドピンは、前記弾性部材の一端に連結され且つ前記第一ガイド溝及び前記回転板を貫通し、
前記第二ガイドピンは、前記弾性部材の他端に連結され且つ前記第二ガイド溝及び前記回転板を貫通し、
外力によって前記回転板が推進されると、前記第一ガイドピン及び前記第二ガイドピンは、それぞれ前記第一ガイド溝、第二ガイド溝に沿って反対方向に向かってスライドしながら、前記弾性部材に弾発力を蓄積させ、続いて前記弾性部材の弾発力を解放させることによって、前記回転板を前記主体板に対して回転させることを特徴とする携帯式電子装置。
【発明の詳細な説明】
【技術分野】
【０００１】
本発明は、携帯式電子装置のカバー体と本体とを回転可能に連結する回転装置及びそれを用いる携帯式電子装置に関するものである。
【背景技術】
【０００２】
従来の携帯電話機などのような携帯式電子装置において、通話機能を主とする各種機能の便利性を考慮して、液晶画面は縦長状態に設けられる。最近になって、携帯電話機は、通話機能だけでなく、インターネット機能やメール機能が付加されている。特に、携帯式電子装置用のデジタル放送サービスが開始されたことに伴い、動映像再生及びＴＶ放送などのマルチメディア機能の付いた携帯電話機も普及している。ここで、ビデオを視聴することを考えると、液晶画面を横長状態にする方が好ましい。
【０００３】
また、携帯電子装置にデザイン性も求められており、カバー体と本体との開閉機構も、このデザイン性の重要な要素をなすものである。そのため、従来の折り畳み式やスライドタイプ以外の斬新な開閉機構を備えた携帯電子装置が望まれている。
【０００４】
最近、液晶表示部を本体に対して、縦長状態と横長状態とに切り替える平面回転式の携帯式電子装置が提案されている（特許文献１参照）が、これらの携帯式電子装置は、回転規制カムを介してカバーを本体に対して横長状態に回転させるため、部品点数が多くなり、構造が複雑で、携帯式電子装置の厚さ及びコストが増加されるという問題が存在する。
【先行技術文献】
【特許文献】
【０００５】
【特許文献１】特開２００９−１０５４８５号公報
【発明の開示】
【発明が解決しようとする課題】
【０００６】
本発明の目的は、部品点数が少なく且つ開閉操作をより簡単にする回転装置及びそれを用いる携帯式電子装置を提供することである。
【課題を解決するための手段】
【０００７】
前記目的を達成するために、本発明に係る回転装置は、主体板と、前記主体板の対向する両面にそれぞれ配置される回転板及び弾性部材と、を備えてなる。前記回転装置は、第一ガイドピン及び第二ガイドピンをさらに備える。前記主体板には、第一ガイド溝及び前記第一ガイド溝に平行する第二ガイド溝が設けられる。前記第一ガイドピンは、前記弾性部材の一端に連結され且つ前記第一ガイド溝及び前記回転板を貫通する。前記第二ガイドピンは、前記弾性部材の他端に連結され且つ前記第二ガイド溝及び前記回転板を貫通する。外力で前記回転板を推進すると、前記第一ガイドピン及び前記第二ガイドピンは、それぞれ前記第一ガイド溝、第二ガイド溝に沿って反対方向に向かってスライドしながら、前記弾性部材に弾発力を蓄積させ、続いて前記弾性部材の弾発力を解放させることによって、前記回転板を前記主体板に対して回転させる。
【０００８】
また、本発明に係る携帯式電子装置は、本体と、カバー体と、前記本体と前記カバー体との間に配置される回転装置を備える。前記回転装置は、前記本体に装着される主体板、前記カバー体に装着される回転板及び弾性部材を備える。前記回転板及び前記弾性部材が、それぞれ前記主体板の対向する両面に配置される。前記回転装置は、第一ガイドピン及び第二ガイドピンをさらに備える。前記主体板には、第一ガイド溝及び前記第一ガイド溝に平行する第二ガイド溝が設けられる。前記第一ガイドピンは、前記弾性部材の一端に連結され且つ前記第一ガイド溝及び前記回転板を貫通する。前記第二ガイドピンは、前記弾性部材の他端に連結され且つ前記第二ガイド溝及び前記回転板を貫通する。外力で前記回転板を推進すると、前記第一ガイドピン及び前記第二ガイドピンは、それぞれ前記第一ガイド溝、第二ガイド溝に沿って反対方向に向かってスライドしながら、前記弾性部材に弾発力を蓄積させ、続いて弾性部材の弾発力を解放させるかにして、前記回転板を前記主体板に対して回転させる。
【発明の効果】
【０００９】
従来の技術に比べて、本発明に係る回転装置の第一ガイドピンは、弾性部材の一端及び第一ガイド溝に挿入されてから、回転板にスライド可能に装着される。前記回転装置の第二ガイドピンは、前記弾性部材の他端及び第二ガイド溝に挿入されてから、前記回転板にスライド可能に装着される。外力で携帯電話機のカバー体を本体に対して推進すると、前記第一ガイドピン及び前記第二ガイドピンは、それぞれ前記第一ガイド溝及び前記第二ガイド溝に沿って相反する方向に向かってスライドして、前記回転板を前記主体板に対して回転させる。さらに、それぞれ前記回転板及び前記主体板と連結された携帯電話機のカバー体の本体に対する回転も実現する。このようにして、本発明の回転装置は、少ない部品点数及び簡単な構造により、携帯式電子装置のカバー体を本体に対して縦長状態と横長状態とに変化させることができる。
【図面の簡単な説明】
【００１０】
【図１】本発明に係る回転装置の分解図である。
【図２】本発明に係る回転装置を用いる携帯式電子装置の分解図である。
【図３】本発明に係る回転装置が携帯式電子装置に組み込まれた状態での立体斜視図である。
【図４】図３に示した回転装置を備える携帯式電子装置の正面透視図である。
【図５】図４に示した携帯式電子装置の開放される過程での透視図である。
【図６】図４に示した携帯式電子装置が完全に開放された状態での透視図である。
【発明を実施するための形態】
【００１１】
本発明に係る回転装置は、携帯電話機或いは個人用携帯情報端末（ＰＤＡ）などの携帯式電子装置に用いられる。以下の実施形態では、携帯電話機を例として説明する。
【００１２】
図１に示したように、本発明の実施形態に係る回転装置は、回転板３０と、主体板４０と、弾性部材５０と、連結柱５４と、第一ガイドピン５５と、第二ガイドピン５７と、を備える。前記回転板３０は、前記連結柱５４を介して前記主体板４０に連結され、且つ前記第一ガイドピン５５及び前記第二ガイドピン５７を介して前記主体板４０に対して回転する。前記弾性部材５０は、前記回転板３０を前記主体板４０に対して回転させるための駆動力を提供する。
【００１３】
前記回転板３０は、携帯電話機のカバー体或いは携帯電話機のカバー体に装着される独立的な部品であることができる。本実施形態において、前記回転板３０は、前記独立的な部品であり、矩形の板状体３１、第一貫通孔３２、第一スライド溝３３及び第二スライド溝３４を備える。前記第一貫通孔３２は、前記板状体３１の中心部位に設けられている。前記第一スライド溝３３及び前記第二スライド溝３４は、それぞれ前記第一貫通孔３２の両側に配置されている細長い貫通溝である。前記第一スライド溝３３は、互いに連通する第一端部３３１及び第二端部３３２を有し、前記第二スライド溝３４は、互いに連通する第一端部３４１及び第二端部３４２を有する。前記第一貫通孔３２と前記第一端部３３１、３４１と前記第二端部３３２、３４２との接続線は、前記板状体３１の１つの対角線に平行する。前記第一貫通孔３２は、前記第二端部３３２及び前記第二端部３４２の間に位置する。
【００１４】
前記主体板４０は、板状体４１と、前記板状体４１に設けられている第一ガイド溝４４及び第二ガイド溝４５と、を備える。前記主体板４０は、前記回転板３０のサイズに該当する矩形の板体であり、上面４２及び貫通孔４３を有する。前記貫通孔４３は、前記回転板３０の第一貫通孔３２に対応する前記板状体４１の中心位置に設けられている。前記第一ガイド溝４４及び前記第二ガイド溝４５は、それぞれ前記貫通孔４３の両側に対称的に配置され且つ前記板状体４１の対向する両辺に平行する線状の貫通溝である。前記第一ガイド溝４４は、互いに連通する第一係止端４４１及び第二係止端４４２を有し、前記第二ガイド溝４５は、互いに連通する第一係止端４５１及び第二係止端４５２を有する。前記第一係止端４４１と前記第一係止端４５１との接続線は、前記第二係止端４４２と前記第二係止端４５２との接続線に交差する。
【００１５】
前記弾性部材５０は、複数の線状体から構成される弓状の弾性束であり、それぞれ取付孔５３を有する第一固定端５１及び第二固定端５２を備える。
【００１６】
前記第一ガイドピン５５は、略「Ｔ」字型の円柱体であり、且つフランジ部５５３及び前記フランジ部５５３から垂直に延在する柱状体５５１を備える。前記第一ガイドピン５５は、前記第一ガイド溝４４内にスライド可能に収納される。前記第二ガイドピン５７の構造は、前記第一ガイドピン５５の構造と同じである。即ち、前記第二ガイドピン５７は、フランジ部５７１及び前記フランジ部５７１から垂直に延在する柱状体５７２を備える。前記第二ガイドピン５７は、前記第二ガイド溝４５内にスライド可能に収納される。
【００１７】
図２に示したように、本発明に係る回転装置を用いる携帯電話機は、本体６０及び前記本体６０に重ね合せて設置されるカバー体７０を備える。前記本体６０の上面には、収容凹所６１が設けられている。前記カバー体７０の前記本体６０に対面する表面には、前記収容凹所６１の位置に対応する係合用凹所７１が設けられる。前記カバー体７０の係合用凹所７１に背離する表面には、表示パネル（図示せず）が設けられている。
【００１８】
図１を参照すると、前記回転装置を組立てる場合、まず、前記回転板３０の第一貫通孔３２が前記主体板４０の貫通孔４３に対応し、前記第一スライド溝３３の第一端部３３１が前記第二ガイド溝４５の第一係止端４５１に対応し、且つ前記第二スライド溝３４の第一端部３４１が前記第一ガイド溝４４の第一係止端４４１に対応するように、前記回転板３０を前記板状体４０の上面４２に設置する。続いて、前記連結柱５４を、前記第一貫通孔３２及び前記貫通孔４３に貫通させて、前記回転板３０を前記主体板４０に回転可能に装着する。
【００１９】
次に、前記第一ガイドピン５５の柱状体５５１を、前記上面４２に対向する他側面から、前記弾性部材５０の第一固定端５１の取付孔５３、前記第一ガイド溝４４の第一係止端４４１及び前記第二スライド溝３４の第一端部３４１に貫通して、前記第一ガイドピン５５のフランジ部５５３を前記第一固定端５１の取付穴５３に係止させる。続いて、前記第二ガイドピン５７の柱状体５７２を、前記弾性部材５０の第二固定端５２、前記第二ガイド溝４５の第一係止端４５１及び前記第一スライド溝３３の第一端部３３１に貫通して、前記第二ガイドピン５７のフランジ部５７１を前記第二固定端５２の取付穴５３に係止させる。この際、前記弾性部材５０の張り力により、前記第一ガイドピン５５は、前記第一係止端４４１及び前記第一端部３４１に位置決めされ、前記第二ガイドピン５７は、前記第一係止端４５１及び前記第一端部３３１に位置決めされる。これで、前記回転装置の組立てを完成する。
【００２０】
前記回転装置を携帯電話機に組み込む場合、前記主体板４０を前記本体６０の収容凹所６１内に装着し、前記弾性部材５０を前記主体板４０と前記本体６０の収容凹所６１との間に挟持する。続いて、前記回転板３０を前記カバー体７０の係合用凹所７１内に装着する。
【００２１】
以下、図４乃至図６を参照しながら、本発明の携帯電話機の開放過程における作動原理について詳細に説明する。
【００２２】
前記携帯電話機の前記カバー体７０の頂端を推進すると、前記回転板３０が前記カバー体７０に誘導されて前記主体板４０に対して回転する。従って、前記第一ガイドピン５５は、前記弾性部材５０の第一固定端５１を連動して、前記第一ガイド溝４４の第一係止端４４１から前記第二係止端４４２に向かってスライドすると共に、前記第二スライド溝３４の第一端部３４１から第二端部３４２へスライドする。同時に、前記第二ガイドピン５７は、前記弾性部材５０の第二固定端５２を連動して、前記第二ガイド溝４５の第一係止端４５１から第二係止端４５２に向かってスライドすると共に、前記第一スライド溝３３の第一端部３３１から第二端部３３２へスライドする。
【００２３】
前記第一ガイドピン５５は、前記第一ガイド溝４４の中間位置までスライドする際に、当該第一ガイドピン５５が前記第二スライド溝３４の第二端部３４２に位置決めされる。前記第二ガイドピン５７は、前記第二ガイド溝４５の中間位置までスライドする際に、当該第二ガイドピン５７が前記第一スライド溝３３の第二端部３３２に位置決めされる。この際、前記弾性部材５０が圧縮されて、弾発力が最大になる。前記第一ガイドピン５５及び前記第二ガイドピン５７は、それぞれ前記第一ガイド溝４４の中間位置及び前記第二ガイド溝４５の中間位置を滑り超えると、前記弾性部材５０は蓄積した弾発力を解放して、前記第一ガイドピン５５を前記第二係止端４４２にスライドさせて位置決めすると共に、前記第二ガイドピン５７を前記第二係止端４５２にスライドさせて位置決めする。この際、前記カバー体７０は、前記本体６０に対して９０度度を回転されて横長状態になる。
【００２４】
本発明に係る回転装置の第一ガイドピン５５は、前記弾性部材５０の一端及び前記第一ガイド溝４４に挿入されてから、前記回転板３０にスライド可能に装着される。前記回転装置の第二ガイドピン５７は、前記弾性部材５０の他端及び第二ガイド溝４５に挿入されてから、前記回転板３０にスライド可能に装着される。外力で携帯電話機のカバー体７０を本体６０に対して推進すると、前記第一ガイドピン５５及び前記第二ガイドピン５７は、それぞれ前記第一ガイド溝４４及び前記第二ガイド溝４５に沿って相反する方向に向かってスライドして、前記回転板３０を前記主体板４０に対して回転させる。このようにして、それぞれ前記回転板３０及び前記主体板４０と連結された前記カバー体７０も前記本体６０に対して回転される。
【００２５】
以上、本発明の好適な実施形態について詳細に説明したが、本発明は前記実施形態に限定されるものではなく、本発明の範囲内で種々の変形又は改良が可能であり、該変形又は改良も、本発明の特許請求の範囲内に含まれることが、いうまでもない。
【符号の説明】
【００２６】
３０          回転板
３１          板状体
３２          第一貫通孔
３３          第一スライド溝
３４          第二スライド溝
４０          主体板
４１          板状体
４２          上面
４３          第二貫通孔
４４          第一ガイド溝
４５          第二ガイド溝
５０          弾性部材
５１          第一固定端
５２          第二固定端
５３          取付孔
５４          連結柱
５５          第一ガイドピン
５７          第二ガイドピン
６０          本体
６１          収容凹所
７０          カバー体
７１          係合用凹所
３３１        第一端部
３３２        第二端部
３４１        第一端部
３４２        第二端部
４４１        第一係止端
４４２        第二係止端
４５１        第一係止端
４５２        第二係止端
５５１        柱状体
５５３        フランジ部
５７１        フランジ部
５７２        柱状体
【図１】
2011244434.tif 000003
【図２】
2011244434.tif 000004
【図３】
2011244434.tif 000005
【図４】
2011244434.tif 000006
【図５】
2011244434.tif 000007
【図６】
2011244434.tif 000008